(57)【要約】【課題】保守者がＡＰのＩＰアドレスを知らない場合、あるいは、各ＡＰとＩＰアドレスとの対応を把握していない場合であっても、保守者が持つＰＣのブラウザからアＡＰにアクセスして、そのＡＰの設定内容の変更作業を可能とする。【解決手段】保守者が、ＡＰのサービスエリア内に入って、保守者が持つＰＣからＡＰにアクセスする。その際、ＡＰのＩＰアドレスの下位８ビットのアドレス部を順次変更してアクセスポイントに対するアクセスを行うことにより、アクセスポイントのＩＰアドレスを検索する。得られたＩＰアドレス使用して、ブラウザを起動し、ＡＰの設定内容をＰＣに表示し、そこから、ＡＰの設定内容の変更を行う。【選択図】      図２
2004282637.tif 000002
【特許請求の範囲】
【請求項１】
保守等のために無線ＬＡＮシステムにおけるアクセスポイントにアクセスするアクセスポイントへのアクセス方法において、アクセスポイントのサービスエリア内において、アクセスポイントとの接続を確立した後、保守用のＰＣからアクセスポイントのＩＰアドレスを順次変更してアクセスポイントに対するアクセスを行うことにより、アクセスポイントのＩＰアドレスの検索を行い、このアクセスによりアクセスポイントから応答が得られたとき、そのＩＰアドレスがアクセスポイントのＩＰアドレスである場合、そのＩＰアドレスを使用してブラウザを起動することを特徴とするアクセスポイントへのアクセス方法。
【請求項２】
前記順次変更されるＩＰアドレスが、３２ビットで構成されるＩＰアドレスの下位８ビットの部分であることを特徴とする請求項１記載のアクセスポイントへのアクセス方法。
【請求項３】
前記順次変更されるＩＰアドレスが、前記保守用のＰＣのＩＰアドレスを除いたアドレスであることを特徴とする請求項１または２記載のアクセスポイントへのアクセス方法。
【発明の詳細な説明】
【０００１】
【発明の属する技術分野】
本発明は、アクセスポイントへのアクセス方法に係り、特に、無線ＬＡＮシステムにおけるアクセスポイントの設定内容を変更したい場合等に、アクセスポイントから離れた位置にいる保守者等が持つＰＣからアクセスポイントのＩＰアドレスを予め設定することなしに、アクセスポイントを検索して、アクセスポイントへのアクセスを行うことを可能にしたアクセスポイントへのアクセス方法に関する。
【０００２】
【従来の技術】
一般に、無線ＬＡＮシステムは、複数のアクセスポイントが有線または無線により相互に接続されて構成されている。このような無線ＬＡＮシステムのアクセスポイントを利用してサービスを受けようとする一般のユーザは、予めその無線ＬＡＮシステムを利用するためのＳＳＩＤの情報と、その無線ＬＡＮで使用している暗号化方式の情報を、自分が持つ無線ＬＡＮ接続機能を持つ携帯端末に登録しておく。ユーザは、システムのサービスエリア内で前述の情報を使用してアクセスポイントを介して各種のサービスを受けることができる。
【０００３】
前述のような無線ＬＡＮシステムは、アクセスポイント相互間の干渉等を避けるため、アクセスポイントの設定内容を変更する必要が生じる場合がある。このような場合、アクセスポイントの設定内容を変更しようとする保守者等は、通常、ＰＣと、該ＰＣに接続された無線ＬＡＮ接続機能を有するステーションとを使用して、所定のアクセスポイントにアクセスし、ＴＣＰ／ＩＰプロトコルを使用してアクセスポイントの設定内容の変更を行っている。
【０００４】
保守者によるアクセスポイントへのアクセスは、通常、一般ユーザの場合と同様にしてアクセスポイントとの間の無線リンクを確立した後、予め知らされてＰＣに設定されている所定のアクセスポイントのＩＰアドレスを使用してブラウザを起動することにより行われる。これにより、保守者等は、自分が持つＰＣの表示画面上にアクセスポイントの設定内容を表示させ、その内容の変更をＰＣから行うことができる。なお、ブラウザを起動してアクセスポイントの設定内容をＰＣに表示させる際に、保守者のＩＤ、パスワードを必要とすることはいうまでもない。
【０００５】
なお、無線ＬＡＮシステムに関する従来技術として、例えば、特許文献１、特許文献２等に記載された技術が知られている。
【０００６】
【特許文献１】
特開平５−３２７７１６号公報
【０００７】
【特許文献２】
特開平９−３２６８０５号公報
【０００８】
【発明が解決しようとする課題】
前述したようにして保守者は、アクセスポイントの設定内容を変更することができる。しかし、前述の従来技術は、保守者がアクセスポイントのＩＰアドレスを知らない場合、あるいは、１つの無線ＬＡＮシステムが複数のアクセスポイントを備えて構成され、保守者が各アクセスポイントとＩＰアドレスとの対応を把握していない場合、ブラウザによるアクセスポイントへのアクセスを行うことができず、アクセスポイントの設定内容を変更することができないという問題点を有している。
【０００９】
本発明の目的は、前述した従来技術の問題点を解決し、保守者がアクセスポイントのＩＰアドレスを知らない場合、あるいは、各アクセスポイントとＩＰアドレスとの対応を把握していない場合であっても、保守者が持つＰＣのブラウザからアクセスポイントにアクセスして、そのアクセスポイントの設定内容の変更作業を行うことができるようにしたアクセスポイントへのアクセス方法を提供することにある。
【００１０】
【課題を解決するための手段】
本発明によれば前記目的は、保守等のために無線ＬＡＮシステムにおけるアクセスポイントにアクセスするアクセスポイントへのアクセス方法において、アクセスポイントのサービスエリア内において、アクセスポイントとの接続を確立した後、保守用のＰＣからアクセスポイントのＩＰアドレスを順次変更してアクセスポイントに対するアクセスを行うことにより、アクセスポイントのＩＰアドレスの検索を行い、このアクセスによりアクセスポイントから応答が得られたとき、そのＩＰアドレスがアクセスポイントのＩＰアドレスであるとして、そのＩＰアドレスを使用してブラウザを起動することにより達成される。
【００１１】
また、前記目的は、前述において、前記順次変更されるＩＰアドレスが、３２ビットで構成されるＩＰアドレスの下位８ビットの部分であることにより、また、前記順次変更されるＩＰアドレスが、前記保守用のＰＣのＩＰアドレスを除いたアドレスであることにより達成される。
【００１２】
【発明の実施の形態】
以下、本発明によるアクセスポイントへのアクセス方法の実施形態を図面により詳細に説明する。
【００１３】
図１は本発明が適用される無線ＬＡＮシステムの最小構成を示すブロック図である。図１において、１０１はＰＣ、１０２はステーション（ＳＴＡ）、１０３はアクセスポイント（ＡＰ）である。
【００１４】
本発明が適用される無線ＬＡＮシステムは、ＰＣ１０１、ＳＴＡ１０２、ＡＰ１０３を備えて構成される。ＰＣ１０１は、保守者等がＡＰ１０３の設定内容の変更等を行うために使用するものであり、無線ＬＡＮモジュールを搭載したＳＴＡ１０２が接続されている。また、ＡＰ１０３は、無線ＬＡＮシステムのアクセスポイントとなる機器であり、無線通信機能を有し、多数の図示しないユーザ端末からのアクセスを受けて、そのユーザ端末に対して各種の情報サービス等のサービスを行う。このＡＰ１０３は、図１には１台しか示していないが、１つの無線ＬＡＮシステム内に複数のＡＰが備えられていてよい。
【００１５】
一般に、１つの無線ＬＡＮシステムを構成する機器には、ＩＰアドレスが付与されており、このアドレスは、３２ビットを８ビット毎に４つの群に分けた形式で構成されている。この３２ビットのＩＰアドレスにおいて、上位の２４ビット、すなわち、上位３つの群は、サブネットマスクと呼ばれ、１つの無線ＬＡＮシステムを特定するためのアドレスであり、この部分によりシステムを特定することができる。従って、同一の無線ＬＡＮシステムを構成する各機器は、そのいずれもが、前述した上位２４ビットで構成される同一のアドレス部分を有している。
【００１６】
そして、下位の８ビットは、１つの無線ＬＡＮシステムを構成する機器の１つ１つに付与されたアドレスであり、この部分により、１つの無線ＬＡＮシステムを構成する１つ１つの機器を特定することができる。従って、図１に示す無線ＬＡＮシステムにおけるＰＣ１０１とＡＰ１０３とのＩＰアドレスは、上位２４ビットによるサブネットマスクの部分が同一の値を持って構成され、下位８ビットの値として異なった値が与えられて構成されていることになる。
【００１７】
本発明の実施形態は、保守者がアクセスポイントのＩＰアドレスを知らない、あるいは、各アクセスポイントとＩＰアドレスとの対応を把握していない状態で、保守者が、アクセスポイントのサービスエリア内に入って、保守者が持つＰＣのブラウザからアクセスポイントにアクセスして、そのアクセスポイントの設定内容の変更作業を行う場合に、前述した下位８ビットのアドレス部を順次変更してアクセスポイントに対するアクセスを行うことにより、アクセスポイントのＩＰアドレスを検索して、そのアクセスポイントの設定内容の変更を行うことができるようにしたものである。
【００１８】
図２は本発明の実施形態によるアクセスポイントへのアクセス方法でのＰＣの処理動作を説明するフローチャートであり、次に、このフローを参照して、保守者等が持つＰＣ１０１を使用して、ＡＰ１０３の設定内容を変更する場合のアクセス方法について説明する。
【００１９】
（１）ＰＣ１０１を持つ保守者等は、システムの開始に先立って、まず、無線ＬＡＮシステムにおけるサービスエリアに入って、一般のユーザの場合と同様にしてアクセスポイントにアクセスして、ＡＰ１０３との間で無線リンクを確立する（ステップ２０１）。
【００２０】
（２）その後、自ＰＣのＩＰアドレスを取得する。この自ＰＣのＩＰアドレスは、前述で説明したように、８ビットずつ４つの群に分けた３２ビットで構成されており、上位の３つの群によるサブネットマスクと呼ばれるアドレス部が、無線ＬＡＮシステムとして共通であり、下位８ビットがそのＰＣを特定するアドレス部として、システムにより与えられている（ステップ２０２）。
【００２１】
（３）次に、自ＰＣのＩＰアドレス以外のＩＰアドレスを使用してＡＰ１０３に対するアクセスを行って、ＡＰ１０３に接続可能かをチェックする。自ＰＣのＩＰアドレス以外のＩＰアドレスとは、下位８ビットのアドレス部における自分の値以外の値を持つアドレスである。ここでの処理は、以後の説明で判るように、ＡＰ１０３に接続することができるＩＰアドレスとなるまで、下位８ビットのアドレス部における自分の値以外の値を昇順あるいは降順に変更させながら接続のチェックを行う処理である。この場合のＡＰ１０３に対するアクセスは、ＰＩＮＧコマンドを発行することにより行われる（ステップ２０３）。
【００２２】
（４）ステップ２０３でのＰＩＮＧコマンドの発行によるＡＰ１０３へのアクセスに対して、ＡＰ１０３からの応答が得られたか否かを判定し、応答が得られなかった場合、まだ、試していない別のＩＰアドレスがあるか否かをチェックし、まだ、試していない別のＩＰアドレスがあれば、ステップ２０３からの処理に戻って処理を続ける（ステップ２０４、２０８）。
【００２３】
（５）ステップ２０８のチェックで、まだ、試していない別のＩＰアドレスがなく、全てのＩＰアドレスについて処理が終了した場合、すなわち、下位８ビットのアドレス値０〜２５５の内の自ＰＣの値を除いた全部で２５５の値のアドレスにつていの処理がＡＰ１０３からの応答なしに終了した場合、所望のアクセスポイントを検出することができなかったとして、ここでの処理を終了する（ステップ２０９）。
【００２４】
（６）ステップ２０４の判定で、ＡＰ１０３から応答が得られた場合、次に、ＡＲＰコマンドを発行してＡＰ１０３の情報を取得し、そこからＢＳＳＩＤを取得する（ステップ２０５）。
【００２５】
（７）ステップ２０５で取得したＢＳＳＩＤと、現在接続が確立しているアクセスポイントのＢＳＳＩＤとが同一か否かを判定し、同一でない場合、接続が確立しているアクセスポイントと応答があったアクセスポイントとが異なるものであるため、ステップ２０８に移行して、前述で説明した処理を続ける（ステップ２０６、２０８）。
【００２６】
（８）ステップ２０６の判定で、ＢＳＳＩＤの一致が得られた場合、現在のＩＰアドレスを使用して、ＰＣ１０１内のブラウザを起動して、ＡＰ１０３に対するアクセスを行い、ここでの処理を終了する（ステップ２０７）。
【００２７】
前述した処理により、ＰＣ１０１内のブラウザを起動して、ＡＰ１０３に対するアクセスを行い、保守者のＩＤ、パスワードの入力を行うと、ＡＰ１０３の設定内容がＰＣの表示画面に表示され、保守者は、この画面からＴＣＰ／ＩＰプロトコルを使用してＡＰ１０３の設定内容を変更することができる。
【００２８】
前述した本発明の実施形態における処理は、処理プログラムとして構成することができ、この処理プログラムは、ＨＤ、ＤＡＴ、ＦＤ、ＭＯ、ＤＶＤ−ＲＯＭ、ＣＤ−ＲＯＭ等の記録媒体に格納して提供することができ、あるいは、ネットワークを介して提供することが可能である。
【００２９】
図３は前述で説明したステップ２０３、２０５の処理におけるＰＩＮＧコマンド及びＡＲＰコマンドの実行例を説明する図である。
【００３０】
ここに示す例は、ＡＰ１０３のＩＰアドレスが“１０．１０．６２．１０１”である場合の例で、ステップ２０３、２０８の繰り返しの処理でＰＩＮＧコマンドのアドレスがＡＰ１０３のアドレスに一致した場合の処理である。図３において、最初の１行がＰＩＮＧコマンドであり、続く９行がＡＰ１０３からの応答である。この応答の後に、ＡＲＰコマンド（  Ｃ：￥＞ａｒｐ−ａ  ）  が発行されている。最後の３行がＡＲＰコマンドに対する応答である。
【００３１】
なお、図２により説明したフローで、ステップ２０９で、試していない別のＩＰアドレスがなく、全てのＩＰアドレスについて処理が終了した場合、保守者が自分が保守を担当する無線ＬＡＮシステム以外の他の無線ＬＡＮシステムのサービスエリアに入っていたと考えられる。
【００３２】
前述した本発明の実施形態によれば、保守者がアクセスポイントのＩＰアドレスを知らない場合、あるいは、各アクセスポイントとＩＰアドレスとの対応を把握していない場合であっても、アクセスポイントが持っているはずのＩＰアドレスを検索することができ、検索結果のＩＰアドレスを使用して、保守者が持つＰＣのブラウザからアクセスポイントにアクセスして、そのアクセスポイントの設定内容を表示させて、その表示画面を用いて設定内容の変更作業を行うことができる。そして、この場合、保守者は、アクセスポイントの設置位置までいかなくても、あるいは、アクセスポイントの設置位置を知らなくてもよい。
【００３３】
なお、変更すべき設定内容としては、ＡＰが使用する周波数、出力電力等があるが、設定内容自体は、本発明に直接関係しないので、その詳細についての説明は省略する。
【００３４】
【発明の効果】
以上説明したように本発明によれば、保守者がアクセスポイントのＩＰアドレスを知らない場合、あるいは、各アクセスポイントとＩＰアドレスとの対応を把握していない場合であっても、保守者が持つＰＣのブラウザからアクセスポイントにアクセスして、そのアクセスポイントの設定内容を表示させて、その表示画面を用いて設定内容の変更作業を行うことができる。
【図面の簡単な説明】
【図１】本発明が適用される無線ＬＡＮシステムの最小構成を示すブロック図である。
【図２】本発明の実施形態によるアクセスポイントへのアクセス方法でのＰＣの処理動作を説明するフローチャートである。
【図３】ＰＩＮＧコマンド及びＡＲＰコマンドの実行例を説明する図である。
【符号の説明】
１０１  ＰＣ
１０２  ステーション（ＳＴＡ）
１０３  アクセスポイント（ＡＰ）
【図１】
2004282637.tif 000003
【図２】
2004282637.tif 000004
【図３】
2004282637.tif 000005